(57)【要約】【課題】電気的な装置のための操作部において、安価で簡単に製造可能であり、スペース節約的なものを提供する。【解決手段】スイッチマットドーム（１１）が、垂直方向の力作用により操作可能になっており、かつ少なくとも１つのプルロッカレバー（１３）が設けられており、該プルロッカレバー（１３）の長手方向延在部が、スイッチマット（１０）の面に対して平行に配置されており、プルロッカレバーを操作した場合に、プルロッカレバー（１３）の、操作アーム（１５）に向かい合って位置するスイッチアーム（１６）が、該スイッチアーム（１６）とスイッチマットドーム（１１）との間に配置されたタペット（１２）を、スイッチマットドーム（１１）を操作するためにスイッチドーム（１１）の方向へ運動せしめるようになっているようにした。【選択図】図１
2006004937.tif 000002
【特許請求の範囲】
【請求項１】
電気的な操作部において、スイッチマット（１０）と、該スイッチマット（１０）内に配置されたスイッチマットドーム（１１）とが設けられており、該スイッチマットドーム（１１）が、垂直方向の力作用により操作可能になっており、かつ少なくとも１つのプルロッカレバー（１３）が設けられており、該プルロッカレバー（１３）の長手方向延在部が、スイッチマット（１０）の面に対して平行に配置されており、プルロッカレバーを操作した場合に、プルロッカレバー（１３）の、操作アーム（１５）に向かい合って位置するスイッチアーム（１６）が、該スイッチアーム（１６）とスイッチマットドーム（１１）との間に配置されたタペット（１２）を、スイッチマットドーム（１１）を操作するためにスイッチドーム（１１）の方向へ運動せしめるようになっていることを特徴とする、電気的な操作部。
【請求項２】
プルロッカレバー（１３）が、偏心的に配置された回転軸（１４）を有しており、該回転軸（１４）を起点とした、プルロッカレバーの長い方の部分が、操作アーム（１５）であり、かつプルロッカレバーの短い方の部分が、スイッチアーム（１６）である、請求項１記載の電気的な操作部。
【請求項３】
スイッチマットに対して平行に２つのプルロッカレバー（１３．１，１３．２）が配置されており、該プルロッカレバー（１３．１，１３．２）が向かい合って位置しており、両方のプルロッカレバーの回転軸（１４）が、互いに密に並んで位置している、請求項１又は２記載の電気的な操作部。
【請求項４】
スイッチアームが、操作アームに対して先細りしており、２つのプルロッカレバー（１３．１，１３．２）のスイッチアームが、互いに対して次のように配置されている、すなわち、両方のスイッチアームが、スイッチマットを介して互いに密に隣接して位置している、請求項３記載の電気的な操作部。
【発明の詳細な説明】
【技術分野】
【０００１】
本発明は、例えばドイツ連邦共和国特許公開第４４１５６６５号明細書につき既に公知の電気的な操作部に関する。
【背景技術】
【０００２】
このドイツ連邦共和国特許公開第４４１５６６５号明細書は、電気的な装置のための操作部について記載している。この電気的な装置にはフロントカバーが設けられており、このフロントカバー内にはスイッチボタンが配置されており、これらのスイッチボタンは第１の旋回支承部を介して旋回可能になっており、かつフロントカバーの後方に位置するボタン部材が設けられており、これらのボタン部材を押圧した場合には、フロントカバーの後方に配置されたスイッチ点を操作することができる。さらにスイッチボタンとスイッチ点との間には変換レバーが設けられており、この変換レバーは中間機能を行使し、この場合にスイッチマットにおけるスイッチボタンの急峻すぎる当付け角を極めてなだらかな当付け角に変換する。
【特許文献１】ドイツ連邦共和国特許公開第４４１５６６５号明細書
【発明の開示】
【発明が解決しようとする課題】
【０００３】
本発明の課題は、電気的な装置のための操作部において、安価で簡単に製造可能であり、スペース節約的なものを提供することである。
【課題を解決するための手段】
【０００４】
この課題を解決した本発明の手段によれば、スイッチマットドームが垂直方向の力作用により操作可能になっており、かつ少なくとも１つのプルロッカレバーが設けられており、該プルロッカレバーの長手方向延在部がスイッチマットの面に対して平行に配置されており、プルロッカレバーを操作した場合に、プルロッカレバーの操作アームに向かい合って位置するスイッチアームが、該スイッチアームとスイッチマットドームとの間に配置されたタペットを、スイッチマットドームを操作するためにスイッチドームの方向へ運動せしめるようになっている。
【発明の効果】
【０００５】
本発明による操作部では、プルロッカレバーと組み合わせたスイッチマットの装置により、操作部を簡単な技術手手段により製造する可能性がもたらされ、これにより、低い工具コストが生じ、簡単かつスペース節約的な組付けが可能となる。スイッチマットは公知の形式で次のように構成されている、すなわち、平坦なマット内に、スイッチマットドームとも呼ばれる電気的なコンタクト部が設けられており、この場合にスイッチマットドームの操作がこれらのスイッチマットドームへの押圧力により得られるようになっており、これにより、電気的なコンタクト部が閉じられ、望ましい機能がスイッチオンかつ／又はオフされる。プルロッカレバーによるスイッチマットドームの操作の実施は、スイッチマットドームに垂直方向に作用する押圧力を加えることを可能にし、これにより、極めて正確な操作が保証されている。さらにこの装置は、わずかに運動せしめられる部材のみが必要とされ、従来技術に記載のように付加的な変向機構が不可欠ではないという利点を有する。これにより、接触、耐用寿命、及びプロセス安定的なより速い製造が著しく改善される。本発明による装置の別の利点が、２つの等しいプルロッカレバーを所定の狭い間隔をおいて向かい合って配置することができる点にある。
【発明を実施するための最良の形態】
【０００６】
次に本発明の実施の形態を図面につき詳しく説明する。
【０００７】
図１は本発明による操作部の側面図を示している。この場合には、スイッチマット（ｓｃｈａｌｔｍａｔｔｅ）と、少なくとも１つの所属の引張り揺動体の形のプルロッカレバー１３との協働を説明する。本実施例ではスイッチマットには符号１０が付されている。これらのスイッチマット１０は従来技術では十分に公知であり、ここでは個々に説明しない。しかしながら、基本的にはこれらのスイッチマットはスイッチマットドーム１１を有しており、これらのスイッチマットドーム１１は電気的なスイッチの機能を有している。
【０００８】
図１には２つのプルロッカレバーが配置されている。第１のプルロッカレバーは符号１３．１により、かつ第２のプルロッカレバーは符号１３．２により示されている。スイッチマットに対するプルロッカレバーの装着の作用関係は、１つのプルロッカレバーが設けられているのか、又は２つのプルロッカレバーが設けられているのかには無関係である。しかしながら、さらに説明されるプルロッカレバーの構造的な構成では、２つのプルロッカレバーは、互いに対して、かつスイッチマットに対して極めてスペース節約的に配置することができることが判明している。さらに明確さのために、プルロッカレバーの機能の説明はそれぞれ１つのプルロッカレバーのみに関連づけられている。
【０００９】
プルロッカレバー１３の長手方向延在部は、スイッチマット１０に対して平行に配置されており、回転軸１４が側方で支承されているように構成されている。この回転軸１４はプルロッカレバーを操作アーム１５とスイッチアーム１６とに区分しており、この場合、操作アーム１５は偏心的な回転軸１４に基づきスイッチアーム１６よりも長くなっている。操作アーム１５を図１に矢印Ｂの方向に操作した場合には、プルロッカレバー１３のスイッチアーム１６がスイッチマットドーム１１の方向に運動せしめられる。
【００１０】
スイッチマットドーム１１への意図的な力伝達のためには、スイッチアーム１６とスイッチマットドーム１１との間にタペット１２が配置されている。このタペット１２はスイッチアーム１６の運動をスイッチマットドーム１１への垂直方向の押圧力の形で伝達する。
【００１１】
構造的な構成のさらなる特徴を図２につき説明したい。この場合、図１及び図２では等しい構成部材には等しい符号を付す。図２は電気的な操作部の平面図を概略的に示している。この電気的な操作部材には、スイッチマット１０のコンタクト部１１に対して２つのプルロッカレバー１３．１及び１３．２が配置されている。
【００１２】
プルロッカレバーはスイッチアーム１６の側では操作アーム１５に対して先細りしている。このことは図２に良好に見ることができる。これにより、２つのプルロッカレバー１３を互いに対して次のように配置することが可能である、すなわち、両方のスイッチアームが互いに密に隣接して位置しており、これにより、スペース節約的な配置がもたらされ、さらにスイッチマット１０の互いに密に並んで位置するスイッチマットドーム１１が良好に操作可能である。
【００１３】
図１に示されているように、プルロッカレバーのスイッチアーム１６が互いに隣接して位置している領域は、有利にはカバー１７によりカバーされる。
【００１４】
偏心的に配置された回転軸を有するプルロッカレバーの装置は、わずかに運動せしめられる部分のみにより、かつさらなる付加的な変向機構なしに、スイッチマットドームの操作を可能にする。これにより、接触（Ｈａｐｔｉｋ）、耐用寿命を著しく改善し、さらにシステムの公差にポジティブな影響を付与することができる。
【図面の簡単な説明】
【００１５】
【図１】本発明による操作部の側面図である。
【図２】本発明による操作部の平面図である。
【符号の説明】
【００１６】
１０  スイッチマット、  １１  スイッチマットドーム、  １２  タペット、  １３，１３．１，１３．２  プルロッカレバー、  １４  回転軸、  １５  操作アーム、  １６  スイッチアーム、  １７  カバー
【図１】
2006004937.tif 000003
【図２】
2006004937.tif 000004